(57)【要約】【課題】高い信頼性を維持しながら、製造が容易で、コストが低くなる太陽電池パネルを提供する。【解決手段】太陽電池パネルは、透光性基板１とセル層２とバスバー５と防水シート６と充填層３と保護層４と電極８とを具備する。セル層２は、透光性基板１上に設けられている。バスバー５は、セル層２の両極の各々に設けられている。防水シート６は、バスバー５上に金属膜２３と第１開口部２１ａを有する絶縁膜２１とがこの順に積層されている。充填層３は、セル層２、バスバー５及び防水シート６上に設けられている。保護層４は、充填層３上に設けられ、第１開口部２１ａの上方に、第１開口部２１ａより大きい第２開口部４ａを有する。電極８は、一端を第１開口部２１ａに露出した金属膜２３に接続され、他端を第２開口部４ａから引き出される。【選択図】図２
2009130020.tif 000002
【特許請求の範囲】
【請求項１】
透光性基板と、
前記透光性基板上に設けられたセル層と、
前記セル層の両極の各々に設けられたバスバーと、
前記バスバー上に、金属膜と第１開口部を有する絶縁膜とがこの順に積層された防水シートと、
前記セル層、前記バスバー及び前記防水シート上に設けられた充填層と、
前記充填層上に設けられ、前記第１開口部の上方に、前記第１開口部より大きい第２開口部を有する保護層と、
一端を前記第１開口部に露出した前記金属膜に接続され、他端を前記第２開口部から引き出される電極と
を具備する
太陽電池パネル。
【請求項２】
請求項１に記載の太陽電池パネルにおいて、
前記バスバーは、導電性ペースト又ははんだで形成されている
太陽電池パネル。
【請求項３】
請求項１又は２に記載の太陽電池パネルにおいて、
前記バスバーは、
前記バスバーの略中央部に設けられたパッド部と、
前記パッド部から前記透光性基板の辺に沿って延伸する枝部と
を備え、
前記防水シートは、前記パッド部上に配置されている
太陽電池パネル。
【請求項４】
請求項３に記載の太陽電池パネルにおいて、
前記枝部は、前記パッド部と接続する側の部分の太さが、その反対側の部分の太さよりも太い
太陽電池パネル。
【請求項５】
請求項１乃至４のいずれか一項に記載の太陽電池パネルにおいて、
前記セル層の一方の極の前記バスバー上方の前記保護膜上に設けられた第１端子箱と、
前記セル層の他方の極の前記バスバー上方の前記保護膜上に設けられた第２端子箱と
を更に具備する
太陽電池パネル。
【請求項６】
（ａ）透光性基板上に、セル層の両極の各々の位置にバスバーを有するように前記セル層及び前記バスバーを形成する工程と、
（ｂ）前記バスバー上に、金属膜と第１開口部を有する絶縁膜とをこの順に積層した防水シートを設ける工程と、
（ｃ）前記セル層、前記バスバー及び前記防水シート上に、充填層と、前記第１開口部の上方に、前記第１開口部より大きい第２開口部を有する保護層とを配置してラミネーションする工程と、
（ｄ）電極の一端を前記第１開口部に露出した前記金属膜に接続し、他端を前記第２開口部から引き出すようにする工程と
を具備する
太陽電池パネルの製造方法。
【請求項７】
請求項６に記載の太陽電池パネルの製造方法において、
前記（ａ）工程は、
（ａ１）前記バスバーを、導電性ペースト又ははんだを塗布して形成する工程
を備える
太陽電池パネルの製造方法。
【請求項８】
請求項６又は７に記載の太陽電池パネルの製造方法において、
前記（ａ）工程は、
（ａ１）前記バスバーが、前記バスバーの略中央部に設けられたパッド部と、前記パッド部から前記透光性基板の辺に沿って延伸する枝部とを備えるように形成する工程を備え、
前記（ｂ）工程は、
（ｂ１）前記防水シートを、前記パッド部上に配置する工程を備える
太陽電池パネルの製造方法。
【請求項９】
請求項８に記載の太陽電池パネルの製造方法において、
前記枝部は、前記パッド部と接続する側の太さが、その反対側の太さよりも太い
太陽電池パネルの製造方法。
【請求項１０】
請求項６乃至９のいずれか一項に記載の太陽電池パネルの製造方法において、
（ｅ）前記セル層の一方の極の前記バスバーに対応して前記保護膜上に第１端子箱を設け、前記セル層の他方の極の前記バスバーに対応して前記保護膜上に第２端子箱を設ける工程を更に具備する
太陽電池パネルの製造方法。
【発明の詳細な説明】
【技術分野】
【０００１】
本発明は、太陽電池に関し、特に発電層を製膜で作成する薄膜系太陽電池に関する。
【背景技術】
【０００２】
太陽電池パネルには長期間の耐久性、耐候性が必要である。太陽電池パネルは、屋外に設置され雨水等に曝されるため、その内部へ水が浸入することにより部材の一部が劣化する場合がある。太陽電池パネルは、耐候性を向上させるため高い防水性が望まれる。
【０００３】
高い防水性を有する太陽電池パネルとして特開２００４−１４６６９７号公報に薄膜太陽電池が開示されている。図１は、この薄膜太陽電池の構成を示す模式図である。薄膜太陽電池は、透光性基板１０１と、セル層１０２と、バスバー１０５と、充填層１０３と、保護膜１０４と、電極取出部１１０と、複数の電極１０７と、電極穴用絶縁シート１２１と、絶縁膜１０９と、浸水抵抗部１１２と、を具備する。セル層１０２は、透光性基板１０１上に形成されている。バスバー１０５は、セル層１０２の両極に、複数点において導電性ペーストを用いて点付けで接続（固定）されている。充填層１０３は、セル層１０２上に設置されている。保護膜１０４は、充填層１０３上に設置されている。電極取出部１１０は、外部端子との接続部分が設けられている。複数の電極１０７は、セル層１０２と充填層１０３の間を通って、バスバー１０５から電極取出部１１０へ敷設され、電極取出部１１０で充填層１０３と保護膜１０４を貫通して外部に引き出されている。電極穴用絶縁シート１２１は、電極取出部１１０において充填層１０３と保護膜１０４との間に設置されている。絶縁膜１０９は、セル層１０２と電極との間に設置されている。浸水抵抗部１１２は、電極取出部１１０において、電極１０７とセル層１０２の間に設置されている。浸水抵抗部１１２は、ＥＶＡ（Ｅｔｈｙｌｅｎｅ−Ｖｉｎｙｌ  Ａｃｅｔａｔｅ）層１２３、１２５、１２９と、ＥＶＡ層１２３、１２５で被覆される防水シート１１３と、ＥＶＡ層１２５、１２９で被覆される絶縁シート１２７を備えている。
【０００４】
この薄膜太陽電池では、太陽電池の出力を外部に取り出すため、電極１０７用の開口部が必要である。そのため、防湿性のバックシートである保護層１０４には、開口部として電極取出部１１０が設けられている。このとき、保護層１０４内の金属箔を介した短絡を防止するため、その金属箔と電極１０７を絶縁する絶縁体が必要である。そのため、保護層１０４と充填層１０３との間には、絶縁体として電極穴用絶縁シート１２１が設けられている。
【０００５】
金属（例示:銅箔）とＥＶＡ層との接着は、接着力が弱い。そのため、ＥＶＡ層である充填層１０３を通して銅箔の電極１０７を取り出そうとすると、電極１０７とＥＶＡ層１０３との界面を通してセル層１０２まで湿分（水分）の通路ができることがある。それを防止するためには、銅箔の電極１０７の長さとして、十分な防湿性を得ることが可能な十分に長い距離が必要である。
【０００６】
その電極取出部１１０には、電極取出部１１０を介した湿分（水分）の浸入を防ぐため、防湿構造が必要である。そのため、その電極取出部１１０の近傍には、その防湿構造として浸水抵抗部１１２が設けられている。浸水抵抗部１１２は、電極１０７下方における湿分（水分）の浸入通路を長く取る必要がある。そのために、比較的大面積の金属箔を含んだ防水シート１１３を、保護層１０４の開口部の下方の電極１０７の下部に敷いている。更に、その下方に配置されるセル層１０２が防水シート１１３の金属箔を介して短絡しないように絶縁する絶縁体が必要である。そのため、防水シート１１３とセル層１０２との間には、絶縁体として絶縁シート１２７が設けられている。更に、電極１０７を保護層１０４と防水シート１１３との間を通すため、電極１０７の上面と下面をＥＶＡ層である充填層１０３とＥＶＡ層１２３とで覆っている。更に、セル層１０２と絶縁シート１２７、絶縁シート１２７と防水シート１１３の間に空間があると、湿分（水分）が浸入したときの浸入通路になるので、それを防止する必要がある。そのため、セル層１０２と絶縁シート１２７、絶縁シート１２７と防水シート１１３の間にそれぞれＥＶＡ層１２５、１２９が設けられている。このように、浸水抵抗部１１２は５層構造となる。
【０００７】
関連する技術として特開２００１−７７３８３号公報に薄膜太陽電池モジュール及びその製造方法が記載されている。この薄膜太陽電池モジュールは、薄膜太陽電池と、封止手段と、接続手段とを含む。
ただし、薄膜太陽電池は、透明絶縁基板上に、透明電極層、光起電力薄膜半導体層、裏面電極層を含む層が順次形成され、複数個の領域に分割されてなされる光起電力素子が電気的に接続され、その接続の終端として電力を集めるバス領域を有する。封止手段は、その薄膜太陽電池が形成された面を保護する充填材と裏面保護カバーを含む。接続手段は、その薄膜太陽電池により発生した電力を外部に供給する。薄膜太陽電池モジュールは、前記バス領域から接続手段までの配線が、前記充填材に埋設され、その配線と裏面電極層との間に、配線を埋設する充填材と同じ材質の充填材に埋設された絶縁シートが存在することを特徴とする。
【０００８】
特開２０００−２８６４３９号公報に太陽電池モジュールが開示されている。この太陽電池モジュールは、透光性基板と、この基板の裏面に形成された複数の太陽電池セルと、これらセルに接続して設けられたバスバーと、透光性基板の裏側に太陽電池セルを封止して設けられた充填材と、この充填材の裏面に積層された封止材とを備える。バスバーの長さをその一端側が透光性基板の一辺より突出する長さとし、この突出部分を封止材の裏面に引き回し出力取出し線として用いる。そのことで、バスバー自体をそのまま出力取出し線に利用する。それにより、他愛用電池セルからモジュール裏面の端子箱に導かれる導電経路中の半田付け個所を少なくした。
【０００９】
【特許文献１】特開２００４−１４６６９７号公報
【特許文献２】特開２００１−０７７３８３号公報
【特許文献３】特開２０００−２８６４３９号公報
【発明の開示】
【発明が解決しようとする課題】
【００１０】
図１に示される特開２００４−１４６６９７号公報の薄膜太陽電池では、耐候性を向上させるための高い防水性を有する構成として、５層構造の浸水抵抗部１１２と、セル層１０２（透光性基板１０１）全面を覆う充填層１０３（ＥＶＡ層）及び保護膜１０４（バックシート）とを備えている。このように、この薄膜太陽電池は複雑な構成を有しているので、コストが高く、製造が容易でない。加えて、高い信頼性を維持するために、これらの製造工程に時間と手間をかけなければならない。高い信頼性を維持しながら、製造が容易で、コストも低くなるような技術が望まれる。
【００１１】
更に、バスバー１０５は、セル層１０２の両極に、複数点において導電性ペーストを用いて点付けで固定されている。すなわち、バスバー１０５とセル層１０２とは全面で結合していないので空間（隙間）がある。そのため、湿分（水分）が浸入した場合、その空間を介して湿分（水分）がバスバー１０５下に広がり易く、バスバー１０５腐食の原因となる虞がある。湿分（水分）の浸入したときの影響を抑制可能な技術が望まれる。
【００１２】
従って、本発明の目的は、高い信頼性を維持しながら、製造が容易で、コストが低くなるような太陽電池パネル及び太陽電池パネルの製造方法を提供することにある。
【００１３】
また、本発明の他の目的は、湿分（水分）の浸入したときの影響を抑制することが可能な太陽電池パネル及び太陽電池パネルの製造方法を提供することにある。
【００１４】
この発明のこれらの目的とそれ以外の目的と利益とは以下の説明と添付図面とによって容易に確認することができる。
【課題を解決するための手段】
【００１５】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【００１６】
本発明の太陽電池パネルは、透光性基板（１）とセル層（２）とバスバー（５）と防水シート（６）と充填層（３）と保護層（４）と電極（８）とを具備する。セル層（２）は、透光性基板（１）上に設けられている。バスバー（５）は、セル層（２）の両極の各々に設けられている。防水シート（６）は、バスバー（５）上に金属膜（２３）と第１開口部（２１ａ）を有する絶縁膜（２１）とがこの順に積層されている。充填層（３）は、セル層（２）、バスバー（５）及び防水シート（６）上に設けられている。保護層（４）は、充填層（３）上に設けられ、前記第１開口部（２１ａ）の上方に、前記第１開口部（２１ａ）より大きい第２開口部（４ａ）を有する。電極（８）は、一端を第１開口部（２１ａ）に露出した金属膜（２３）に接続され、他端を第２開口部（４ａ）から引き出される。
本発明では、防水シート（６）において、金属膜（２３）と絶縁膜（２１）がバスバー（５）への湿分（水分）の浸入を防止する機能を有し、金属膜（２３）がバスバー（５）（パッド部（５ａ））の電力を取り出す端子としての機能を有し、絶縁膜（２１）が電極（８）を保護層（４）中の金属膜から絶縁する機能を有している。このように、防水シート（６）が複数の機能を兼用しているので、図１の従来の技術に比較して、各種シートの数を大幅に減少させることが出来る。それにより、太陽電池パネルの製造を容易とし、コストを低減することができる。また、本発明では、湿分（水分）の浸入経路が、絶縁膜（２１）と充填層（３）との界面となる。ここで、一般に絶縁膜（２１）と充填層（３）は樹脂製であり、絶縁膜（２１）と充填層（３）との界面は接着が強固であるため、湿分（水分）が浸入し難くなっている。従って、耐候性が高く、高い信頼性を維持することができる。
【００１７】
ここで、特許文献１には、既述のように図１に示される電極の構造が記載されている。しかし、本発明の防水シート（６）のような、複数の機能を兼ね備えた防水シートは記載されていない。加えて、本発明のようにバスバー（５）上方の保護膜（４）の開口部（４ａ）から電極（８）を取り出すことは記載されていない。したがって、特許文献１では、その防水シート（６）を用いたことにより、製造が容易化しコストを低減できることや、湿分（水分）の浸入経路が変わり浸入困難になること等の本発明の効果を得ることはできない。
【００１８】
特許文献２には、複数のシートを積層し、金属箔を取り出し線として引き回す電極の構造が記載されている。しかし、この場合も、本発明の防水シート（６）のような、複数の機能を兼ね備えた防水シートは記載されていない。加えて、本発明のようにバスバー（５）上方の保護膜（４）の開口部（４ａ）から電極（８）を取り出すことは記載されていない。したがって、特許文献２でも、その防水シート（６）を用いたことにより、製造が容易化しコストを低減できることや、湿分（水分）の浸入経路が変わり浸入困難になること等の本発明の効果を得ることはできない。
【００１９】
特許文献３には、バスバー自体で取り出し線を兼ねた出力取り出し構造が記載されている。しかし、コの場合にも、本発明の防水シート（６）のような、複数の機能を兼ね備えた防水シートは記載されていない。また、特許文献２ではバスバーの金属箔自体を取り出し線として引き回していることから、湿分（水分）の浸入経路は特許文献１の場合と実質的に変わっていない。したがって、特許文献２でも、その防水シート（６）を用いたことにより、製造が容易化しコストを低減できることや、湿分（水分）の浸入経路が変わり浸入困難になること等の本発明の効果を得ることはできない。
【００２０】
上記の太陽電池パネルにおいて、バスバー（５）は、導電性ペースト又ははんだで形成されていることが好ましい。
本発明では、バスバー（５）は、図１の従来技術のバスバー（１０５）のような金属箔ではなくセル層（２）の両極に直接形成された膜なので、バスバー（５）下に空間が無い。そのため、湿分（水分）が浸入しても、その空間を介して湿分（水分）が広範囲に広がることはなく、その影響を大幅に抑制することが出来る。
【００２１】
上記の太陽電池パネルにおいて、バスバー（５）は、バスバー（５）の略中央部に設けられたパッド部（５ａ）と、パッド部（５ａ）から透光性基板（１）の辺に沿って延伸する枝部（５ｂ）とを備える。防水シート（６）は、パッド部（５ａ）上に配置されていることが好ましい。
本発明では、電力を取り出すパッド部（５ａ）をバスバー（５）の略中央部にしているので、枝部（５ｂ）の距離を短くすることが出来る。それにより、枝部（５ｂ）の幅を小さく抑えることが出来るので、セル層（２）の面積を広く取ることが出来る。
【００２２】
上記の太陽電池パネルにおいて、枝部（５ｂ）は、パッド部（５ａ）と接続する側の部分の太さが、その反対側の部分の太さよりも太いことが好ましい。
本発明では、パッド部（５ａ）に近い側の枝部（５ｂ）ほど流れる電流量が大きくなる。そのため、パッド部（５ａ）に近い側の枝部（５ｂ）を相対的に太くして抵抗を小さくすることで、枝部（５ｂ）での損失を抑制することができる。
【００２３】
上記の太陽電池パネルにおいて、セル層（２）の一方の極のバスバー（５）上方の保護膜（４）上に設けられた第１端子箱（９）と、セル層（２）の他方の極のバスバー（５）上方の保護膜（４）上に設けられた第２端子箱（９）とを更に具備することが好ましい。
本発明では、端子箱（９）がバスバー（５）上方に設けられているので、端子箱（９）とバスバー（５）とを接続する図１の電極（１０７）のような構成が不要となる。それにより、太陽電池パネルの製造を容易とし、コストを低減することができる。
【００２４】
本発明の太陽電池パネルの製造方法は、（ａ）透光性基板（１）上に、セル層（２）の両極の各々の位置にバスバー（５）を有するように前記セル層（２）及び前記バスバー（５）を形成する工程と、（ｂ）バスバー（５）上に金属膜（２３）と第１開口部（２１ａ）を有する絶縁膜（２１、２２）とをこの順に積層した防水シート（６）を設ける工程と、（ｃ）セル層（２）、バスバー（５）及び防水シート（６）上に、充填層（３）と、前記第１開口部（２１ａ）の上方に、前記第１開口部（２１ａ）より大きい第２開口部（４ａ）を有する保護層（４）とを配置してラミネーションする工程と、（ｄ）電極（８）の一端を第１開口部（２１ａ）に露出した金属膜（２３）に接続し、他端を第２開口部（４ａ）から引き出すようにする工程とを具備する。
本発明では、防水シート（６）において、金属膜（２３）と絶縁膜（２１）がバスバー（５）への湿分（水分）の浸入を防止する機能を有し、金属膜（２３）がバスバー(５)（パッド部（５ａ））の電力を取り出す端子としての機能を有し、絶縁膜（２１）が電極（８）を保護層（４）中の金属膜から絶縁する機能を有している。このように、防水シート（６）が複数の機能を兼用しているので、図１の従来の技術に比較して、各種シートの数を大幅に減少させることが出来る。それにより、太陽電池パネルの製造を容易とし、コストを低減することができる。また、本発明では、湿分（水分）の浸入経路が、絶縁膜（２１）と充填層（３）との界面となる。ここで、一般に絶縁膜（２１）と充填層（３）は樹脂製であり、絶縁膜（２１）と充填層（３）との界面は接着が強固であるため、湿分（水分）が浸入し難くなっている。従って、耐候性が高く、高い信頼性を維持することができる。
【００２５】
上記の太陽電池パネルの製造方法において、（ａ）工程は、（ａ１）バスバー（５）を、導電性ペースト又ははんだを塗布して形成する工程を備えることが好ましい。
本発明では、バスバー（５）は、図１の従来技術のバスバー（１０５）ような金属箔ではなくセル層（２）の両極に直接形成された膜なので、バスバー（５）下に空間が無い。そのため、湿分（水分）が浸入しても、その空間を介して湿分（水分）が広範囲に広がることはなく、その影響を大幅に抑制することが出来る。
【００２６】
上記の太陽電池パネルの製造方法において、（ａ）工程は、（ａ１）バスバー（５）が、バスバー（５）の略中央部に設けられたパッド部（５ａ）と、パッド部（５ａ）から透光性基板（１）の辺に沿って延伸する枝部（５ｂ）とを備えるように形成する工程を有する。（ｂ）工程は、（ｂ１）防水シート（６）を、パッド部（５ａ）上に配置する工程を備えることが好ましい。
本発明では、電力を取り出すパッド部（５ａ）をバスバー（５）の略中央部にしているので、枝部（５ｂ）の距離を短くすることが出来る。それにより、枝部（５ｂ）の幅を小さく抑えることが出来るので、セル層（２）の面積を広く取ることが出来る。
【００２７】
上記の太陽電池パネルの製造方法において、枝部（５ｂ）は、パッド部（５ａ）と接続する側の太さが、その反対側の太さよりも太いことが好ましい。
本発明では、パッド部（５ａ）に近い側の枝部（５ｂ）ほど流れる電流量が大きくなる。そのためパッド部（５ａ）に近い側の枝部（５ｂ）を相対的に太くして抵抗を小さくすることで、枝部（５ｂ）での損失を抑制することができる。
【００２８】
上記の太陽電池パネルの製造方法において、（ｅ）セル層（２）の一方の極のバスバー（５）に対応して保護膜（４）上に第１端子箱（９）を設け、セル層（２）の他方の極の前記バスバー（５）に対応して保護膜（４）上に第２端子箱（９）を設ける工程を更に具備することが好ましい。
本発明では、端子箱（９）がバスバー（５）上方に設けられているので、端子箱（９）とバスバー（５）とを接続する図１の電極（１０７）のような構成が不要となる。それにより、太陽電池パネルの製造を容易とし、コストを低減することができる。
【発明の効果】
【００２９】
本発明により、高い信頼性を維持しながら、太陽電池パネルの製造を容易とし、そのコストを低く抑えることが出来る。また、太陽電池パネルにおいて湿分（水分）の浸入したときの影響を抑制することができる。
【発明を実施するための最良の形態】
【００３０】
以下、本発明の太陽電池パネル及び太陽電池パネルの製造方法の実施の形態に関して、添付図面を参照して説明する。
【００３１】
図２は、本実施の形態に係る太陽電池パネルの構成を示す模式図である。この太陽電池パネル１０は、透光性基板１と、セル層２と、バスバー５と、防水シート６と、充填層３と、保護層４と、電極８と端子箱９を具備する。太陽電池パネル１０は、これらの各構成が、破線又は鎖線で示される位置関係で結合した構成を有している。
【００３２】
透光性基板１は、セル層２が形成される基板であり、ガラス基板に例示される。ガラス基板としては、例えば、ソーダフロートガラス基板（１．４ｍ×１．１ｍ×板厚：４ｍｍ）を使用する。透光性基板１の端面は熱応力や衝撃などによる破損防止にコーナー面取りやＲ面取り加工されていることが望ましい。
【００３３】
セル層２（太陽電池モジュール）は、透光性基板１上における二本のバスバー５間に設けられた複数の太陽電池（セル）である。太陽電池は、透光性基板１の側から透明電極層、光電変換層、及び裏面電極層がこの順に積層された構造を有し、例えば互いに直列に接続されている。その太陽電池としては、単層アモルファスシリコン薄膜太陽電池や、微結晶シリコンをはじめとする結晶質シリコン太陽電池や、シリコンゲルマニウム太陽電池や、アモルファスシリコン太陽電池と結晶質シリコン太陽電池やシリコンゲルマニウム太陽電池とを各１〜複数層に積層させた多接合型（タンデム型）太陽電池のような他の種類の薄膜太陽電池である。金属基板などのような非透光性基板上に製造された、基板とは反対の側から光が入射するタイプの太陽電池であっても良い
【００３４】
バスバー５は、透光性基板１上において、セル層２を挟むように二本設けられている。セル層２で発電された電力の集電に用いられる。一方のバスバー５はプラス極として、他方のバスバー５はマイナス極としてそれぞれ機能する。例えば、セル層２の複数の太陽電池が直列接続されている場合、その直列接続のプラス極は一方のバスバー５に、マイナス極は他方のバスバー５にそれぞれ接続されている。
【００３５】
バスバー５は、導電性ペーストやはんだのような導電性を有し接着効果を有する材料を用いて形成する。
導電性ペーストを用いる場合、スクリーン印刷やインクジェット印刷やディスペンサ塗布等で導電性ペーストを塗布し、所定の温度で焼成（乾燥）することで、バスバー５を形成することができる。例えば導電性ペーストを２５μｍ程度塗布した場合、熱処理により１５〜２０μｍの膜厚となる。図１に示す従来技術では、これら導電性ペーストの信頼性が不明なため、金属箔バスバーの点付け固定用にのみ使用していた。しかし、本発明者による長期信頼性試験の結果、導電性ペーストそのものをバスバーとして使用することが可能であることが判明し、今回使用することとした。導電性ペーストとしては、以下のものを使用することができる。
【００３６】
（１）低温型
低温型とは、比較的低温で形成される光電変換層の形成温度（例示：２５０℃〜３００℃）以下の低い温度で形成する（処理が必要である）ということを示す。そのようなものとして、Ａｇ粒子と低温型の樹脂とを材料として含む導電性ペーストがある。その導電性ペーストは、例えば、裏面電極層（例示：Ｔｉ膜）の上に形成する。
【００３７】
この低温型の導電性ペーストを用いることで、太陽電池を構成する光電変換層の各膜に影響を与えない温度範囲で導電性ペーストの熱処理ができる。それにより、その熱処理を光電変換層を形成した後において行うことも出来る。例えば、その熱処理を後工程であるアニールやラミネートの工程に併せて行うことができ、その場合、工程を簡略化することができる。
【００３８】
（２）高温型
高温型とは、比較的低温で形成される光電変換層の形成温度（例示：２５０℃〜３００℃）よりも高い温度で形成する（処理が必要である）ということを示す。そのようなものとして、Ａｇ粒子と高温型のガラス粉とを材料として含む導電性ペーストがある。その導電性ペーストは、例えば、光電変換層を形成前の透光性基板１（例示：ガラス基板）の上や透明導電層（例示：酸化錫膜）の上に形成する。光電変換層の各膜に影響を与える温度範囲での熱処理が必要であるためである。
【００３９】
この高温型の導電性ペーストを用いることで、低温型の導電性ペーストを用いる場合と比較して、バスバー５の導電率を高く、膜厚を薄く、幅を狭く形成することができる。それにより、Ａｇの使用量を削減でき、コストを低く抑えることができる。さらに、バスバー５の幅が狭くなることで、セル層２の面積を広くすることが出来、有効発電面積を相対的に広く取ることが出来る。
【００４０】
一方、はんだを用いる場合、比較的低温で形成でき、光電変換層の形成温度（例示：２５０℃〜３００℃）以下の低い温度で形成する（処理が必要である）ことができる。そのようなものとして、ガラス、セラミックス、酸化物に直接はんだ付け可能なはんだを用いる。例えば、Ｚｎ等の微量元素を含むＰｂ−Ｓｎ系はんだ（黒田テクノ株式会社製、商品名「セラソルザ」）である。そのはんだを連続供給しながら超音波を併用したコテで、例えば透明導電層（例示：酸化錫膜）上や裏面電極層（例示：Ｔｉ膜）上にバスバー５としてのはんだの連続体を形成する（超音波はんだ付け法）。
【００４１】
このはんだを用いることで、太陽電池を構成する光電変換層の各膜に影響を与えない温度範囲ではんだ付けをすることができる。それにより、はんだ付けを光電変換層を形成した後において行うことも出来る。上記超音波はんだ付け法により、バスバー５の所望の導電率に応じて、厚塗りすることも可能である。
【００４２】
このバスバー５の構造では、導電性ペーストやはんだがバスバーそのものとなる。そのため、図１に示すバスバー１０５（例示：銅箔）とセル層１０２との間の空間（隙間）が、このバスバー５では無くなる。その結果、湿分（水分）が浸入した場合でも、そのような空間を介して湿分（水分）がバスバー５周辺に広がることを抑制することが出来る。それにより、湿分（水分）の浸入したときの影響を抑制することが可能となる。
【００４３】
バスバー５は、パッド部５ａと、枝部５ｂと備える。パッド部５ａは、矩形形状を有し、バスバー５の長手方向（透光性基板１の辺に沿う方向）の略中央部に設けられている。集電された電力が取り出されるパッドとしての機能を有する。ただし、その形状は矩形に限定されるものではなく、円形や楕円形や多角形であっても良い。枝部５ｂは、それぞれ一端をパッド部５ａに接続され、パッド部５ａから透光性基板１の辺に沿って延伸している。電力を取り出すパッド部５ａをバスバー５の略中央部にすることにより、各枝部５ｂの距離を全て同等に短くすることが出来る。それにより、枝部５ｂを流れる電流は各枝部５ｂに等分に分割され、過度に多く電流が流れる箇所がなくなるので、枝部５ｂの幅を小さく抑えることが出来る。すなわち、セル層２の面積を広く取ることが出来る。なお、パッド部５ａの大きさは、例えば、１．１ｍ×１．４ｍの基板上に設けられた薄膜系太陽電池の場合、約３ｃｍ〜５ｃｍ角の略矩形形状とすることが出来る。
【００４４】
枝部５ｂは、パッド部５ａと接続する側の部分（枝部５ｂの根元）の太さが、その反対側の部分（枝部５ｂの先端）の太さよりも太い。パッド部５ａに近い側の枝部５ｂほど流れる電流の大きさが大きい、すなわち電流量が大きくなる。そのため、パッド部５ａに近い側の枝部５ｂを相対的に太くして、その抵抗を小さくすることで、枝部５ｂでの損失をできるだけ抑える必要があるからである。枝部５ｂにおけるパッド部５ａと接続する側は、例えば、１．１ｍ×１．４ｍの基板上に設けられた薄膜系太陽電池の場合、幅約２０ｍｍとすることが出来る。枝部５ｂの先端は幅約１ｍｍとすることが出来る。
【００４５】
防水シート６は、バスバー５のパッド部５ａ上に配置されている。この防水シート６は、バスバー５（パッド部５ａ）への湿分（水分）の浸入を防止する機能と、パッド部５ａの電力を取り出す端子としての機能と、電極８を保護層４中の金属膜から絶縁する機能とを兼用する。防水シート６の大きさは、例えば、１．１ｍ×１．４ｍの基板上に設けられた薄膜系太陽電池の場合、約３ｃｍ〜５ｃｍ角の略矩形形状とすることが出来る。好ましくは、約４ｃｍ角の矩形である。ただし、形状は矩形に限定されるものではなく、パッド部５ａを覆うことが出来れば、円形や楕円形や多角形であっても良い。図３は、本実施の形態に係る防水シートの構成を示す模式図である。防水シート６は、金属膜２３と絶縁膜２１とが接着膜２２により接着された構成を有している。
【００４６】
金属膜２３は、パッド部５ａを覆うような形状を有する金属の膜であり、銅箔のような金属箔に例示される。金属膜２３は、保護層４の開口部４ａや充填層３の開口部３ａからパッド部５ａへ湿分（水分）が浸入することを阻止する金属層としての機能と、パッド部５ａに集められた電力を取り出す端子としての機能とを兼用する。
絶縁膜２１は、金属膜２３を覆うような形状を有する絶縁性の膜であり、ＰＥＴ（Ｐｏｌｙｅｔｈｙｌｅｎｅ  Ｔｅｒｅｐｈｔｈａｌａｔｅ）シートのような絶縁シートに例示される。絶縁膜２１は、電極８および金属膜２３を保護層４中の金属膜から絶縁する機能を有する。絶縁膜２１は、金属膜２３に接着膜２２により接着し、その略中央部に金属膜３２が露出するように設けられた開口部２１ａを有する。この開口部２１ａの大きさは、保護層４の開口部４ａよりも小さい。すなわち、電力を取り出す電極８が、金属膜２３に接続され、開口部４ａよりも小さい開口部２１ａを通ることにより、保護層４の金属膜に電極８が接触することを防止することができると共に、保護層４の金属膜に金属膜２３が接触することを防止することができる。開口部２１ａの形状は、図のような矩形に限定されるものではなく、保護膜３の開口部３ａより小さければ、円形や楕円形や多角形であっても良い。
接着膜２２は、金属膜２３と絶縁膜２１とを接着する接着材や接着機能を有する。膜状でなく塗布された接着剤であっても良い。接着膜２２は、開口部２１ａと同じ形状の開口部２２ａを有し、金属箔と樹脂シートを接着可能な接着剤やＥＶＡに例示される。また、絶縁膜２１と接着膜２２の両方の機能を有するポリイミドペーストのような材料を使用することもできる。
【００４７】
図２を参照して、充填層３は、セル層２、バスバー５及び防水シート６上に設けられ、ＥＶＡシートに例示される。充填層３は、セル層２、バスバー５及び防水シート６と保護層４との間に空間が発生することを防止する。そのような空間は、湿分（水分）の浸入を許す虞があり好ましくないからである。充填層３は、防水シート６上に、開口部３ａを有する。開口部３ａは、絶縁膜２１の開口部２１ａが露出し、防水シート６の辺縁が露出しないように設けられている。これにより、金属膜２３に接続された電極８は充填層３に接触せずに開口部３ａを貫通し、防水シート６の端はいずれも開口部３ａ内に現れない。
【００４８】
開口部３ａの形状は図のような矩形に限定されるものではなく、円形や楕円形や多角形であっても良い。ただし、保護膜３と防水シート６との接触部分は湿分（水分）の浸入経路になる。従って、保護膜３と防水シート６との接着力に応じて、十分な接触距離を確保できるような形状とする。すなわち、接触距離として、開口部３ａから浸入した湿分（水分）が保護膜３と防水シート６との接触部分（界面）を移動しても、防水シート６の端部までに到達できないほど十分な距離とする。そのような接触距離は、図１の従来技術に比較して短くすることができる。保護膜３と防水シート６との界面が絶縁膜（樹脂）同士が接触した面であるため、図１の従来技術の充填層と金属箔との接触に比較して、その接着力が強いからである。
【００４９】
保護層４は、充填層３上に設けられ、防水防湿効果が高い３層構造のＰＡＰ（ＰＥＴシート／ＡＬ箔／ＰＥＴシート）シートに例示される。保護層４は、セル層２等の下方への湿分（水分）の浸入を防止する。保護層４は、開口部３ａに対応する位置に、開口部３ａと概ね重なるように開口部４ａを有する。これにより、金属膜２３に接続された電極８は保護層４に接触せずに開口部４ａを貫通する。
【００５０】
電極８は、上述の低温型の導電性ペーストやはんだ等の接着用材料７を用いて、一端を金属膜２３に接続され、他端を開口部４ａから引き出される。電極８は、絶縁膜２１の開口部２１ａにより位置を制限されているので、充填層３の開口部３ａや保護層４の開口部４ａの縁に接触することは無い。すなわち、保護層４の金属膜（ＡＬ箔）を介して短絡することは無い。
【００５１】
端子箱９は、保護層４の開口部４ａ及び電極８を囲むように配置されている。端子箱９の出力ケーブルは、電極８とはんだ等で接続される。端子箱９は、内部を封止剤（ポッティング剤）で充填されて密閉・封入される。これにより、露出している防水シート６の金属膜６（電極８と金属膜６との接合部を含む）は封止材で保護される。
【００５２】
本実施の形態では、防水シート６は、図１における防水シート１１３の機能と絶縁シート１２１の機能との兼ねているので、シートの数を減らすことが出来る。また、防水シート６の金属膜２３は、防水用の金属箔としての機能と電力取り出し機能とを兼ねているので、追加のシートを設ける必要がなく、シートの増加を抑制できる。
【００５３】
また、本実施の形態では、セル層２への湿分（水分）の浸入通路は、防水シート６の絶縁膜２１と充填層３との界面になる。このとき、充填層３としてＥＶＡを用い、絶縁膜２１としてＰＥＴを用いることで、両者の接着力は比較的強いので、図１の充填層１０３と電極１０７との界面の場合のように接着距離を大きくするというは必要ない。すなわち、防水シートを比較的小さく（例示：４ｃｍ角）作ることが出来る。
【００５４】
また、本実施の形態では、保護層４の開口部４ａがバスバー５上に配置されている。そのため、図１にのような電力取り出し用の長い電極１０７を設ける必要がなくなる。それにより、製造工程の簡略化や信頼性をより向上することが出来る。
【００５５】
図４は、本実施の形態に係る太陽電池パネルの基板上の構成を示す上面図である。透光性基板１上には、複数の太陽電池を有するセル層２が設けられ、その両側にセル層２から電力を取り出すバスバー５が設けられている。セル層２とバスバー５を囲む周辺領域９４は、充填層３や保護層４との接着力を高めるために、透光性基板１が露出している。バスバー５のパッド部５ａとセル層２との境界には、レーザエッチング等で膜が除去された絶縁溝１１が形成されている。端子箱９（破線で表示）は、パッド部５ａの上方に配置される。
【００５６】
図５は、本実施の形態に係るパッド部の周辺の構成を示す上面図である。セル層２の複数の太陽電池２ａは直列に接続され、その一方の極がバスバー５の枝部５ｂに接続されている。バスバー５のパッド部５ａと複数の太陽電池２ａとの境界には、絶縁溝１１が形成され、パッド部５ａと太陽電池２ａとは絶縁されている。この場合、パッド部５ａ及び絶縁溝１１の部分の領域は、太陽電池２ａ用として利用することができない。
【００５７】
パッド部５ａは一部が通常の発電部に位置するようになることから、発電出力への影響が全くないわけではない。しかしながら、前述の現実的な基板寸法（例示：１．１ｍ×１．４ｍ）およびパッド部５ａ寸法（例示：４ｃｍ角）では、透光性基板１上に形成された短冊状のセルの約３％に、約３％程度の電流低下を及ぼすのみである。影響を受ける約３％のセルは、残り約９７％のセルの最適発電状態で発電されるため、電力低下としては４％程度となる。従って、太陽電池パネル全体としては、約９７％＋約３％×０．９６＝９９．９％であり、全体への影響は０．１％程度である。
【００５８】
次に、本実施の形態に係る太陽電池パネルの製造方法について説明する。図６は、本実施の形態に係る太陽電池パネルの製造方法の一例を示す断面図である。図６は、図４のＡＡ’断面を示している。
【００５９】
図６（ａ）に示されるように、まず、透光性基板１上にセル層２（太陽電池モジュール）を形成する。すなわち、まず、透光性基板１上に透明電極層８２（例示：酸化錫膜）を製膜する。その後、透明電極層８２にレーザエッチングで溝９０を形成する。これにより、透明電極層８２が短冊状に分離される。次に、透明導電層８２上に光電変換層８３を製膜する。光電変換層８３は、単層アモルファスシリコンや、微結晶シリコンをはじめとする結晶質シリコンや、シリコンゲルマニウムや、アモルファスシリコンと結晶質シリコンやシリコンゲルマニウムの多接合型（タンデム型）などである。その後、光電変換層８３にレーザエッチングで溝９１を形成する。これにより、光電変換層８３が透明電極層８２のエッチング位置と少しずらした位置で短冊状に分離される。続いて、光電変換層８３上に裏面電極層８４（Ａｇ膜とＴｉ膜との積層膜）を製膜する。その後、裏面電極層８４にレーザエッチングで溝９２を形成する。これにより、裏面電極層８４および光電変換層８３が更にエッチング位置をずらした位置で短冊状に分離される。そして、透明電極層８２、光電変換層８３、及び裏面電極層８４による太陽電池２ａが形成される。この場合、複数の太陽電池２ａは直列に接続されて、セル層２を形成している。そして、太陽電池２ａの長手方向と略垂直な方向の端において、透光性基板１の対向する二辺に平行に、裏面電極層８４、光電変換層８３及び透明導電層８２をレーザエッチングして、絶縁溝（図示されず）を形成する。これにより、セル層２の対抗する二辺の絶縁が行われる。
【００６０】
続いて、図６（ｂ）に示されるように、バスバー５のパッド部５ａ周りの絶縁溝１１をレーザエッチングで形成する。その後、透光性基板１の周辺領域９４の裏面電極層８４／光電変換層８３／透明導電層８２をサンドブラスト法により除去する。
次に、図６（ｃ）に示されるように、セル層２の両極にバスバー５を上記の低温型導電性ペースト又ははんだで形成する。低温型導電性ペーストでバスバー５を形成する場合、まず、その導電性ペーストを例えばスクリーン印刷法により塗布する。その熱処理はラミネートの工程の熱処理に併せて行われる。はんだでバスバー５を形成する場合、超音波はんだ付け法により行う。
【００６１】
次に、図２に示されるように、バスバー５のパッド部５ａ上に防水シート６を配置（形成）する。防水シート６は、既述のように、金属膜２３と絶縁膜２１とがこの順に接着（積層）されている。その後、セル層２、バスバー５、及び防水シート６上に、充填層３と保護層４とをこの順に配置してラミネーションする（ラミネートの工程）。それにより、防水シート６、充填層３、及び保護層４が、セル層２、バスバー５を有する透光性基板１に接着される。続いて、電極８の一端を金属膜２３に上記の低温型導電性ペースト又ははんだを用いて接続する。そのとき、他端を絶縁膜２１の開口部２１ａ及び充填層３の開口部３ａを介して保護膜４の開口部４ａから引き出すようにする。その後、保護膜４上に端子箱９が取付けられる。そのとき、端子箱９の出力ケーブルと電極８とが接続される。その後、端子箱９は、封止剤（ポッティング剤）で充填されて密閉・封入される。ここで、セル層２の両極に対応する二つの端子箱９の各々について、端子箱９の取り付け、出力ケーブルと電極８との接続、封止剤の封入は、いずれも組立用自動機械により一度に行うことができる。したがって、端子箱９が増えても製造工程上余計な工数はかからない。以上により、太陽電池パネルが製造される。
【００６２】
ここで、バスバー５を透明導電層８４上に形成する場合、図６で示される工程ではなく、図７で示される工程で太陽電池パネルが製造される。図７は、本実施の形態に係る太陽電池パネルの製造方法の他の一例を示す断面図である。図７は、図４のＡＡ’断面を示している。
【００６３】
図７（ａ）に示されるように、まず、透光性基板１上に透明電極層８２（例示：酸化錫膜）を製膜する。次に、図７（ｂ）に示されるように、透明電極層８２上に、透光性基板１の対向する二辺に沿って、バスバー５を上記の高温型導電性ペースト又ははんだで形成する。高温型導電性ペーストでバスバー５を形成する場合、まず、その導電性ペーストを例えばスクリーン印刷法により塗布する。続けて、その熱処理の工程を行う。はんだでバスバー５を形成する場合、超音波はんだ付け法により行う。
【００６４】
続いて、図７（ｃ）に示されるように、透明電極層８２にレーザエッチングで溝９０を形成する。これにより、透明電極層８２が短冊状に分離される。次に、透明導電層８２上に光電変換層８３を製膜する。光電変換層８３は、図６（ａ）の説明と同様である。その後、光電変換層８３にレーザエッチングで溝９１を形成する。これにより、光電変換層８３が透明電極層８２のエッチング位置と少しずらした位置で短冊状に分離される。続いて、光電変換層８３上に裏面電極層８４（Ａｇ膜とＴｉ膜との積層膜）を製膜する。その後、裏面電極層８４にレーザエッチングで溝９２を形成する。これにより、裏面電極層８４および光電変換層８３が更にエッチング位置をずらした位置で短冊状に分離される。そして、透明電極層８２、光電変換層８３、及び裏面電極層８４による太陽電池２ａが形成される。この場合、複数の太陽電池２ａは直列に接続されて、セル層２を形成している。そして、太陽電池２ａの長手方向と略垂直な方向の端において、透光性基板１の対向する二辺に平行に、裏面電極層８４、光電変換層８３及び透明導電層８２をレーザエッチングして、絶縁溝（図示されず）を形成する。これにより、セル層２の対抗する二辺の絶縁が行われる。
【００６５】
次に、図７（ｄ）に示されるように、バスバー５のパッド部５ａ上の光電変換層８３及び裏面電極層８４をサンドブラスト法等の方法により除去する。防水シート６の金属膜２３とパッド部５ａの接続を強固にするためにである。その後、パッド部５ａ周りの絶縁溝１１をレーザエッチングで形成する。その後、透光性基板１の周辺領域９４の裏面電極層８４／光電変換層８３／透明導電層８２をサンドブラスト法により除去する。その後の工程に関しては、図６の場合と同様であるのでその説明を省略する。
【００６６】
ここで、バスバー５を透光性基板１上に形成する場合、図６で示される工程ではなく、図８で示される工程で太陽電池パネルが製造される。図８は、本実施の形態に係る太陽電池パネルの製造方法の他の一例を示す断面図である。図８は、図４のＡＡ’断面を示している。
【００６７】
図８（ａ）に示されるように、まず、透光性基板１上に、透光性基板１の対向する二辺に沿って、バスバー５を上記の高温型導電性ペーストで形成する。高温型導電性ペーストでバスバー５を形成する場合、まず、その導電性ペーストを例えばスクリーン印刷法により塗布する。続けて、その熱処理の工程を行う。次に、図８（ｂ）に示されるように、透光性基板１上に透明電極層８２（例示：酸化錫膜）を製膜する。
【００６８】
続いて、図８（ｃ）に示されるように、透明電極層８２にレーザエッチングで溝９０を形成する。これにより、透明電極層８２が短冊状に分離される。次に、透明導電層８２上に光電変換層８３を製膜する。光電変換層８３は、図６（ａ）の説明と同様である。その後、光電変換層８３にレーザエッチングで溝９１を形成する。これにより、光電変換層８３が透明電極層８２のエッチング位置と少しずらした位置で短冊状に分離される。続いて、光電変換層８３上に裏面電極層８４（Ａｇ膜とＴｉ膜との積層膜）を製膜する。その後、裏面電極層８４にレーザエッチングで溝９２を形成する。これにより、裏面電極層８４および光電変換層８３が更にエッチング位置をずらした位置で短冊状に分離される。そして、透明電極層８２、光電変換層８３、及び裏面電極層８４による太陽電池２ａが形成される。この場合、複数の太陽電池２ａは直列に接続されて、セル層２を形成している。そして、太陽電池２ａの長手方向と略垂直な方向の端において、透光性基板１の対向する二辺に平行に、裏面電極層８４、光電変換層８３及び透明導電層８２をレーザエッチングして、絶縁溝（図示されず）を形成する。これにより、セル層２の対抗する二辺の絶縁が行われる。
【００６９】
次に、図８（ｄ）に示されるように、バスバー５のパッド部５ａ上の透明導電層８２、光電変換層８３及び裏面電極層８４をサンドブラスト法等の方法により除去する。防水シート６の金属膜２３とパッド部５ａの接続を強固にするためにである。ただし、透明導電層８２は除去しなくても良い。導電性を有しているからである。その後、パッド部５ａ周りの絶縁溝１１をレーザエッチングで形成する。その後、透光性基板１の周辺領域９４の裏面電極層８４／光電変換層８３／透明導電層８２をサンドブラスト法により除去する。その後の工程に関しては、図６の場合と同様であるのでその説明を省略する。
【００７０】
本発明では、防水シート６等のセル層２（太陽電池モジュール）上を覆うバックシートの構成や、バスバー５の構成を簡略化している。従って、太陽電池パネルの製造を容易とし、コストを低減することが可能となる。また、本発明では、図１における湿分（水分）の浸入経路である電極１０７（金属）と充填層１０３（樹脂）との界面が、絶縁膜２１（樹脂）と充填層３（樹脂）との界面に置き換わっている。絶縁膜２１（樹脂）と充填層３（樹脂）との界面は接着が強固であるため、湿分（水分）が浸入し難くなっている。従って、耐候性が高く、高い信頼性を維持している。更に、バスバー５は、箔ではなくセル層２の両極に直接形成された膜なので、バスバー５下に空間が無い。そのため、湿分（水分）が浸入しても大きく広がることはなく、その影響を大幅に抑制することが出来る。
【００７１】
図９は、本実施の形態に係る端子箱と出力ケーブルの構成を示す模式図である。図９（ａ）に示すように、従来技術の場合では中央部に一つの端子箱１０９を設け、そこから出力ケーブル１１５を取り出している。一方、本実施の形態では、図９（ｂ）に示されるように、セル層２の一方の極のパッド部５ａ上方の保護膜４上、及び、セル層２の他方の極のパッド部５ａ上方の保護膜４上にそれぞれ端子箱９が設けられている。端子箱９がバスバー５上方に設けられているので、端子箱９とバスバー５とを接続する図１の電極１０７のような構成が不要となる。端子箱９は二つ必要となるが、コストとしては、出力ケーブル１２の方が高く、出力ケーブル１２の使用量はほとんど変わらない。従って、太陽電池パネルの製造を容易とするとともに、コストを低減することができる。端子箱９及び出力ケーブル１２は、図９（ｃ）のような構成とすることが出来る。その場合、出力ケーブル１２の使用量が減るので、コストを更に削減できる。
【００７２】
本発明は上記各実施の形態に限定されず、本発明の技術思想の範囲内において、各実施の形態は適宜変形又は変更され得ることは明らかである。
【図面の簡単な説明】
【００７３】
【図１】図１は、特開２００４−１４６６９７号公報の薄膜太陽電池の構成を示す模式図である。
【図２】図２は、本実施の形態に係る太陽電池パネルの構成を示す模式図である。
【図３】図３は、本実施の形態に係る防水シートの構成を示す模式図である。
【図４】図４は、本実施の形態に係る太陽電池パネルの基板上の構成を示す上面図である。
【図５】図５は、本実施の形態に係るパッド部の周辺の構成を示す上面図である。
【図６】図６は、本実施の形態に係る太陽電池パネルの製造方法の一例を示す断面図である。
【図７】図７は、本実施の形態に係る太陽電池パネルの製造方法の他の一例を示す断面図である。
【図８】図８は、本実施の形態に係る太陽電池パネルの製造方法の他の一例を示す断面図である。
【図９】図９は、本実施の形態に係る端子箱と出力ケーブルの構成を示す模式図である。
【符号の説明】
【００７４】
１    透光性基板
２    セル層
３    充填層
３ａ    開口部
４    保護層
４ａ    開口部
５    バスバー
５ａ    パッド部
５ｂ    枝部
６    防水シート
８    電極
９    端子箱
１０    太陽電池パネル
１１    溝
１２    出力ケーブル
２１    絶縁膜
２１ａ    開口部
２２    接着膜
２２ａ    開口部
２３    金属膜
８２    透明導電層
８３    光電変換層
８４    裏面電極層
９０、９１、９２    溝
９４    周辺領域
【図１】
2009130020.tif 000003
【図２】
2009130020.tif 000004
【図３】
2009130020.tif 000005
【図４】
2009130020.tif 000006
【図５】
2009130020.tif 000007
【図６】
2009130020.tif 000008
【図７】
2009130020.tif 000009
【図８】
2009130020.tif 000010
【図９】
2009130020.tif 000011